(57)【要約】【課題】赤外線通信用の信号を発生する発光素子と、リモコン信号を発生する発光素子とをそれぞれ備えながら、小型化を図ることができるリモコン信号送信機能付き赤外線通信用モジュールを提供する。【解決手段】リモコン信号用発光素子１５と赤外線通信用発光素子１４とを備えたリモコン信号送信機能付き赤外線通信用モジュール１において、一つのレンズ２３に対応する位置に、赤外線通信用発光素子１４およびリモコン信号用発光素子１５を配置する。【選択図】        図１
2004187095.tif 000002
【特許請求の範囲】
【請求項１】
リモコン信号用発光素子と赤外線通信用発光素子とを備えたリモコン信号送信機能付き赤外線通信用モジュールであって、
一つのレンズに対応する位置に、前記赤外線通信用発光素子および前記リモコン信号用発光素子を配置した、リモコン信号送信機能付き赤外線通信用モジュール。
【請求項２】
前記リモコン信号用発光素子から前記レンズを介して照射されるリモコン信号送信光の中心軸と、前記赤外線通信用発光素子から前記レンズを介して照射される赤外線通信光の中心軸とは方向が異なる、請求項１に記載のリモコン信号送信機能付き赤外線通信用モジュール。
【請求項３】
前記リモコン信号用発光素子を前記レンズの中心軸上に配置し、前記赤外線通信用発光素子を前記レンズの中心軸からずらした位置に配置した、請求項１または２に記載のリモコン信号送信機能付き赤外線通信用モジュール。
【請求項４】
前記赤外線通信用発光素子を前記レンズの中心軸上に配置し、前記リモコン信号用発光素子を前記レンズの中心軸からずらした位置に配置した、請求項１または２に記載のリモコン信号送信機能付き赤外線通信用モジュール。
【請求項５】
前記リモコン信号用発光素子を、一つのレンズに対応する位置に複数配置した、請求項４に記載のリモコン信号送信機能付き赤外線通信用モジュール。
【請求項６】
前記リモコン信号用発光素子は、前記レンズの中心軸に対して対称に配置した、請求項５に記載のリモコン信号送信機能付き赤外線通信用モジュール。
【請求項７】
前記赤外線通信用発光素子は、ＩｒＤＡデータ通信用の発光素子である、請求項１〜６のいずれかに記載のリモコン信号送信機能付き赤外線通信用モジュール。
【請求項８】
請求項１〜７のいずれかに記載のリモコン信号送信機能付き赤外線通信用モジュールを備えた、携帯機器。
【請求項９】
表示部を備えた携帯電話機であって、
請求項１〜７のいずれかに記載のリモコン信号送信機能付き赤外線通信用モジュールを備え、
前記リモコン信号用発光素子から前記レンズを介して照射されるリモコン信号送信光の中心軸および前記赤外線通信用発光素子から前記レンズを介して照射される赤外線通信光の中心軸の少なくともいずれか一方が、前記表示部の表示面に対して、所定の傾斜角をなしている、携帯電話機。
【請求項１０】
前記傾斜角は、ユーザーが通常使用する状態で携帯電話を保持した場合に、リモコン信号送信光の中心軸および赤外線通信光の中心軸の少なくとも一方が、ユーザーの略正面方向で、かつ略水平方向を向くような角度である、請求項９に記載の携帯電話機。
【請求項１１】
前記傾斜角は、１０°以上９０°未満である、請求項１０に記載の携帯電話機。
【請求項１２】
操作部を有する第１の本体と、前記第１の本体に対し開閉可能に連結された、表示部を有する第２の本体とを備え、ユーザーが第１の本体を水平に保持しながら前記第２の本体を開いた状態において、前記表示部がユーザーに向かうように傾斜する折りたたみ式の携帯電話機であって、
請求項１〜７のいずれかに記載のリモコン信号送信機能付き赤外線通信用モジュールを備え、
第１の本体を水平に保持しながら第２の本体を開いた状態において、前記リモコン信号用発光素子から前記レンズを介して照射されるリモコン信号送信光の中心軸および前記赤外線通信用発光素子から前記レンズを介して照射される赤外線通信光の中心軸のいずれか一方が略水平方向を向くように構成されている、携帯電話機。
【発明の詳細な説明】
【０００１】
【発明の属する技術分野】
この発明は、リモコン信号送信機能付き赤外線通信用モジュール、ならびにそれを備えた携帯機器および携帯電話機に関する。
【０００２】
【従来の技術】
携帯電話機や携帯型情報端末（ＰＤＡ：Ｐｅｒｓｏｎａｌ  Ｄａｔａ  Ａｓｓｉｓｔａｎｔ）などの携帯機器相互の通信や、携帯機器とパソコン等との通信に赤外線通信が多く用いられる。
【０００３】
従来からこの赤外線通信機能と、リモコン信号送信機能とを共に備えた携帯電話機などの携帯機器が提案されている。従来のものにあっては、赤外線通信を行なう赤外線通信用モジュールと、リモコン信号を送信するリモコン信号送信用モジュールとが別々に構成されており、二つのモジュールを搭載するために実装面積が大きくなる。その結果、機器の小型化を阻害しているという問題があった。
【０００４】
赤外線通信用の信号とリモコン信号とを一つの発光素子から発光させることで、これらの信号を発光する素子を一つに集約して小型化を図ったものがある（特許文献１参照）。
【０００５】
また、携帯電話機などの携帯機器に、赤外線通信機能と、リモコン信号送信機能の両方を持たせる場合には、これらの信号を発生させるモジュールを、携帯機器の先端部に取り付けているものがあった。そのモジュールは、そのレンズの中心軸が、携帯機器の表示部の表示面に沿うような長手方向と一致するように取り付けていた。従来のモジュールでは、レンズの中心軸の方向と、そのモジュールからレンズを介して照射される赤外線通信光およびリモコン信号送信光とは一致する。したがって従来の携帯機器では、その長手方向と、赤外線通信光およびリモコン信号送信光の方向とが同一方向であった。
【０００６】
【特許文献１】
特開２０００−１３８６４０号公報
【０００７】
【発明が解決しようとする課題】
しかしながら、赤外線通信光と、リモコン信号送信光とは、規格が大きく異なり、特に波長や通信距離が大きく異なる。そのため発せられたリモコン信号送信光や赤外線通信光を、受光素子がうまく受信できない可能性がある。それを回避するために、発光量を増加させることも考えられるが、その場合には消費電力が増加し、バッテリー寿命に悪影響を与える。これらの問題があり、特許文献１記載のモジュールのように単一の発光素子から赤外線通信光とリモコン信号送信光の両方を発光させることは容易ではない。
【０００８】
また、従来のように赤外線通信光を発生する発光素子の方向と、リモコン信号送信光を発生する発光素子の方向とが同一方向となるようにモジュールを構成し、これらの光の方向が、それが搭載される機器の表示部の表示面に沿うような長手方向と一致するように搭載した場合には、次のような問題がある。
【０００９】
携帯機器は、液晶表示装置などで構成された表示部で内容を確認しながら使用することにより利便性が増す。しかし、従来の携帯電話機５１においては、上記のようにモジュールを取り付けているので、図１８に示すように、表示部５２を確認しながら赤外線通信光を発生させると、その赤外線通信光の方向と相手側の携帯電話機５１の方向とが一致せず、うまく通信が行なえないという問題がある。一方、赤外線通信光の方向を相手側の携帯機器の方向に向けようとすると、図１９に示すように、表示部５２の表示面が略水平方向となり、表示部５２が見にくくなるという問題がある。
【００１０】
その携帯電話機５１が、図１９に示すような折りたたみ式の携帯電話機の場合、通常は、操作部を有する第１の本体５３と、表示部を有する第２の本体５４からなり、第１の本体５３は第２の本体５４に対して傾斜した状態で保持される。このような携帯電話機５１において、第２の本体５４の先端から発せられる赤外線通信光を相手方の機器の方向（水平方向）に向けようとすると、操作部を有する第１の本体５３が、下向きに傾斜することとなり、不自然な態勢での操作を強いられることとなり、その操作性が悪いという問題があった。
【００１１】
また、携帯電話機５１をリモコンとして利用する場合も同様に、リモコン信号送信光の指向角が狭いため、操作対象のそれぞれの機器の方向に携帯機器の先端を向ける必要があり、その際上記の赤外線通信を行なう場合と同様の問題があった。
【００１２】
したがって、この発明は、上記課題を解決するためになされたものであり、赤外線通信光を発生する発光素子と、リモコン信号送信光を発生する発光素子とをそれぞれ備えながら、小型化を図ることができるリモコン信号送信機能付き赤外線通信用モジュールを提供すること、ならびにそれを備えた携帯機器および携帯電話機を提供することを目的とする。
【００１３】
【課題を解決するための手段】
この発明に基づいたリモコン信号送信機能付き赤外線通信用モジュールに従えば、リモコン信号用発光素子と赤外線通信用発光素子とを備えたリモコン信号送信機能付き赤外線通信用モジュールであって、一つのレンズに対応する位置に、上記赤外線通信用発光素子および上記リモコン信号用発光素子を配置している。
【００１４】
上記モジュールによれば、一つのレンズに対応する位置に、二つの異なる発光素子を配置することで、一つのレンズを共用するので、レンズの配置スペースが削減され、モジュールの小型化を図ることができる。また、発光素子は別々に構成されているので、赤外線通信光やリモコン信号送信光に最適のものを選択することができるので、性能の悪化を招くこともない。
【００１５】
上記モジュールにおいて好ましくは、上記リモコン信号用発光素子から上記レンズを介して照射されるリモコン信号送信光の中心軸と、上記赤外線通信用発光素子から上記レンズを介して照射される赤外線通信光の中心軸とは方向が異なっている。この構成によると、リモコン信号送信光と赤外線通信光の方向を、用途に応じた方向に調整することで利便性が向上する。
【００１６】
上記モジュールにおいてさらに好ましくは、上記リモコン信号用発光素子を上記レンズの中心軸上に配置し、上記赤外線通信用発光素子を上記レンズの中心軸からずらした位置に配置したり、上記赤外線通信用発光素子を上記レンズの中心軸上に配置し、リモコン信号用発光素子を上記レンズの中心軸からずらした位置に配置するようにしてもよい。この構成によると、二つの信号のうち、一方をレンズの中心軸と一致する方向とし、他方を異なる方向にすることができる。
【００１７】
上記モジュールにおいて、上記リモコン信号用発光素子を、一つのレンズに対応する位置に複数配置し、さらに、上記リモコン信号用発光素子は、上記レンズの中心軸に対して対称に配置してもよい。また、上記赤外線通信用発光素子は、ＩｒＤＡデータ通信用の発光素子で構成しても良い。
【００１８】
また、上記モジュールを携帯機器に搭載することも好ましい。この場合には、小型化されたモジュールを搭載することで、携帯機器の小型化を図ることができる。
【００１９】
また、上記モジュールを表示部を備えた携帯電話機に搭載し、上記リモコン信号用発光素子から上記レンズを介して照射されるリモコン信号送信光の中心軸、および上記赤外線通信用発光素子から上記レンズを介して照射される赤外線通信光の中心軸の少なくともいずれか一方が、上記表示部の表示面に対して、所定の傾斜角をなすようにしても良い。この場合には、上記傾斜角を適当な角度に設定することで、表示部を見ながらリモコン操作や赤外線通信をすることが容易となる。
【００２０】
たとえば、上記傾斜角は、ユーザーが通常使用する状態で携帯電話機を保持した場合に、リモコン信号送信光の中心軸および赤外線通信光の中心軸の少なくとも一方が、ユーザー略正面方向で、かつ略水平方向を向くような角度とすることが好ましい。また、その傾斜角は、１０°以上９０°未満であってもよい。
【００２１】
また、操作部を有する第１の本体と、第１の本体に対し開閉可能に連結された、表示部を有する第２の本体とを備え、ユーザーが第１の本体を水平に保持しながら上記第２の本体を開いた状態において、上記表示部がユーザーに向かうように傾斜する折りたたみ式の携帯電話機に、上記モジュールを搭載し、第１の本体を水平に保持しながら第２の本体を開いた状態において、上記リモコン信号用発光素子から上記レンズを介して照射されるリモコン信号送信光の中心軸および上記赤外線通信用発光素子から上記レンズを介して照射される赤外線通信光の中心軸のいずれか一方が略水平方向を向くように構成しても良い。この場合には、表示部を見ながらの操作が容易となり、また、使用者は、信号光の方向を容易に認識することができる。
【００２２】
【発明の実施の形態】
以下、本実施の形態におけるリモコン信号送信機能付き赤外線通信用モジュールならびにそれを備えた携帯機器および携帯電話機について、図を参照しながら説明する。
【００２３】
（実施の形態１）
以下、本実施の形態におけるリモコン信号送信機能付き赤外線通信用モジュールについて、図１を参照して説明する。なお、図１は、本実施の形態におけるリモコン信号送信機能付き赤外線通信用モジュールの構造を示し、（Ａ）は（Ｂ）におけるＡ−Ａ矢視断面を示す縦断面図であり、（Ｂ）は正面図、（Ｃ）は側面図、図２および図３は、発光素子の発する光の方向を示す説明図である。
【００２４】
この実施の形態におけるリモコン信号送信機能付き赤外線通信用モジュール１は、ＰＷＢ（Ｐｒｉｎｔｅｄ  Ｗｉｒｉｎｇ  Ｂｏａｒｄ  プリント配線基板）等の基板１１の上に、ＰＤ（フォトダイオード）チップからなるＩｒＤＡ用の赤外線通信用受光素子１２、ＩＣチップ１３、ＬＥＤチップからなるＩｒＤＡデータ用の赤外線通信用発光素子１４、および、ＬＥＤチップからなるリモコン信号用発光素子１５を配設して構成されており、これらの赤外線通信用受光素子１２、ＩＣチップ１３、赤外線通信用発光素子１４、および、リモコン信号用発光素子１５は、透明の封止樹脂２１により覆われている。ＩＣチップ１３は、発光素子１４，１５および受光素子１２のための制御回路を内蔵している。
【００２５】
封止樹脂２１により、一対のドーム状のレンズ２２，２３が形成されている。レンズ２２の中心軸上には、赤外線通信用受光素子１２が配置され、レンズ２３の下方で、レンズ２３の中心軸からずらされた位置には、赤外線通信用発光素子１４およびリモコン信号用発光素子１５が設けられている。
【００２６】
この実施の形態においては、二つの発光素子１４，１５をレンズ２３に対応する位置に配置し、共にレンズ２３を介して発光するようにしている。このように構成することにより、発光素子１４，１５にそれぞれのレンズを設けて構成する場合に比べて、モジュール１を小型化することができる。これにより、モジュール１の実装面積を小さくすることができる。また、レンズ２３を減らしたことにより、コストの低減を図ることができる。
【００２７】
本実施の形態においては、図１（Ｂ）において、赤外線通信用発光素子１４とリモコン信号用発光素子１５とは、レンズ２３の中心軸と同じ高さに設けられている。これらの発光素子１４，１５からレンズ２３を介して照射されるリモコン信号送信光の中心軸Ｒおよび赤外線通信光の中心軸Ｉは共に、レンズ２３により集光されてレンズ２３の中心を通るように設定されている。
【００２８】
ここで発光素子１４，１５から発せられる光は、実際には図２に示すように様々な方向に向かっている。そのため光は、たとえば図３のＩｂで示すようなレンズ２３の中心を通る方向だけでなく、Ｉａ，Ｉｃに例示的に示すような方向にも多少は照射されている。しかし、発光素子１４，１５から発せられた光は、レンズ２３の効果により集光されて、レンズ２３を介して照射される光の中心軸は、レンズ２３の中心を通るＩｂで示す方向となる。
【００２９】
図１（Ａ）に示すように、たとえば赤外線通信用発光素子１４が発する光は、レンズ２３により集光され、光の中心軸Ｉはレンズ２３の中心を通り屈折したのち、矢印の方向に進む。また、赤外線通信用発光素子１４とリモコン信号用発光素子１５とは、レンズ２３の中心軸と同じ高さに設けられているので、発光素子１４，１５からレンズ２３を介して照射された光の中心軸は、レンズ２３の中心軸を含む同じ水平面内で異なる方向に向かう。
【００３０】
後述する実施の形態の各図において、発光素子１４，１５が発する光は、レンズ２３の中心に向かうもののみを代表的に記載している。
【００３１】
なお発光素子１４，１５として、面発光型発光素子などを用いて、発光素子から発する光の方向をある程度限定するようにして、さらにレンズ２３により集光することで、レンズ２３から照射される光の中心軸の方向を所定の方向に向けるようにしてもよい。
【００３２】
上記のＩｒＤＡ（Ｉｎｆｒａｒｅｄ  Ｄａｔａ  Ａｓｓｏｃｉａｔｉｏｎ）は、赤外線通信の代表的な規格である。これは、変調された電気信号を光信号で伝送し、光信号を受けて電気信号を復調するものである。このＩｒＤＡの定めた規格の一つである、ＩｒＤＡ１．２  Ｌｏｗ  Ｐｏｗｅｒの場合、赤外線通信光の通信距離は２０ｃｍ、伝送速度最大は１１５．２ｂｐｓ、指向性は発光側、受光側ともに±１５°、発光強度はＭＩＮ３．６ｍＷ／ｓｒであり、光の波長は８５０ｎｍ〜９００ｎｍである。
【００３３】
これに対し、テレビ、エアコン、玩具などの操作に多く用いられるリモコン信号送信機に用いられるリモコン信号送信光は、通信距離が約８ｍ、指向性は半値角（発光強度はピーク値の５０％の値）で約１５°〜２０°、発光強度は約４０ｍＷ／ｓｒのＡＳＫ（Ａｍｐｌｉｔｕｄｅ  Ｓｈｉｆｔ  Ｋｅｙｉｎｇ）方式の伝送信号であり、光の波長は約９００〜１０００ｎｍである。
【００３４】
このように、赤外線通信光とリモコン信号送信光とでは、特に波長や通信距離が大きく異なることから、単一の発光素子から赤外線通信光とリモコン信号送信光の両方を発光させることは容易ではない。しかし、本実施の形態のように、単一のレンズに対応する位置に二つの発光素子１４，１５を配置することで、従来の制御回路等をそのまま利用することができ、容易にモジュール１の小型化を図ることができる。
【００３５】
本実施の形態では、ＩｒＤＡ規格に準拠した赤外線通信用発光素子１４を用いたが、たとえば、ＡＳＫ方式など他の規格に準拠したものを用いることもできる。
【００３６】
（実施の形態２）
実施の形態２について、上記実施の形態と異なる構成のみを図４を参照して説明する。図４は、本実施の形態におけるリモコン信号送信機能付き赤外線通信用モジュールの構造を示し、（Ａ）は正面図、（Ｂ）は（Ａ）におけるＢ−Ｂ矢視断面を示す縦断面図である。
【００３７】
本実施の形態においては、リモコン信号用発光素子１５をレンズ２３の中心軸上に配置し、赤外線通信用発光素子１４を、図４（Ａ）においてリモコン信号用発光素子１５の上方に配置している。これは発光素子１４，１５のそれぞれが発するリモコン信号送信光の中心軸Ｒおよび赤外線通信光の中心軸Ｉが、図４（Ｂ）に示す方向に向かうようにするためである。
【００３８】
リモコン信号送信光の中心軸Ｒは、レンズ２３の中心軸上を直進して、図４（Ｂ）において水平方向に向かう。一方、赤外線通信用発光素子１４は、レンズ２３の中心から上方にずらした位置に配置している。その結果、赤外線通信用発光素子１４から発せられた赤外線通信光の中心軸Ｉは、レンズ２３の中心を通り屈折して、図４（Ｂ）において水平方向よりやや下方に向かう。このときの赤外線通信光の指向角Ｃを、図４（Ａ）に円で示す。赤外線通信光は、このように放射状に広がりながら、図４（Ｂ）で示す方向に向かって進む。本実施の形態におけるモジュール１の使用形態については後述する。
【００３９】
本実施の形態を変形し、リモコン信号用発光素子１５と赤外線通信用発光素子１４とを逆に配置していも良い。すなわち赤外線通信用発光素子１４をレンズ２３の中心軸上に配置し、リモコン信号用発光素子１５を赤外線通信用発光素子１４の上方に配置するようにしてもよい。この実施の形態２の変形例の使用形態についても後述する。
【００４０】
（実施の形態３）
本実施の形態について、上記実施の形態と異なる構成のみを、図５および図６を参照して説明する。なお、図５は、本実施の形態におけるリモコン信号送信機能付き赤外線通信用モジュールの構造を示し、（Ａ）は正面図、（Ｂ）は（Ａ）におけるＢ−Ｂ矢視断面を示す縦断面図であり、図６は、一対のリモコン信号用発光素子からレンズ２３を介して照射されたリモコン信号送信光が互いに強め合う状態を示すグラフである。
【００４１】
図５（Ａ）に示すように、本実施の形態では、レンズ２３の中心に赤外線通信用発光素子１４を配置し、その上下方向の、レンズ２３の中心軸に対して対称の位置に、一対のリモコン信号用発光素子１５ａ，１５ｂを配置している。このように配置したのは、リモコン信号送信光の指向角を広げ、またレンズ２３の中心軸の方向でも比較的強い放射強度のリモコン信号送信光を得るためてある。
【００４２】
赤外線通信用発光素子１４から発せられた赤外線通信光の中心軸Ｉは、レンズ２３の中心軸上を直進する。リモコン信号用発光素子１５ａ，１５ｂからレンズ２３を介して照射されたリモコン信号送信光の中心軸Ｒａ，Ｒｂはそれぞれ、レンズ２３の中心を通り屈折して、レンズ２３の中心軸より上または下の方向に向かう。リモコン信号送信光の指向角Ｃａ，Ｃｂを図５（Ａ）に円で示す。
【００４３】
このように上下方向に一対のリモコン信号用発光素子１５ａ，１５ｂを設け、このリモコン信号用発光素子１５ａ，１５ｂを同時に発光させることにより、その指向角が上下方向に広がり、上下に広い方向に対してリモコン信号送信光を発することができる。また、指向角Ｃａ，Ｃｂは、レンズ２３の中心軸付近で重なる。この重なる部分では、互いに影響し合って補強される。その結果、レンズ２３の中心軸方向においても、比較的強い放射強度のリモコン信号送信光を発生させることができる。
【００４４】
図６は、一対のリモコン信号用発光素子１５ａ，１５ｂから発せられたリモコン信号送信光が互いに強め合う状態の一例である。図６に示すように、指向角が重なった０°付近で両者が補強し合い、単独で用いた場合に比べ強い放射強度となる。
【００４５】
このように一対のリモコン信号用発光素子１５ａ，１５ｂをレンズ２３の中心軸の上下に対称に設けることで、レンズ２３の軸方向にも強い放射強度が得られ、さらに上下方向にも指向角を広げることができる。
【００４６】
上下方向に広い指向角が得られることにより、例えば、天井付近に設けられたエアコン等の機器に対する操作や、床上に置かれたテレビや玩具に対する操作を行なう場合に好都合である。
【００４７】
（実施の形態４）
実施の形態４について、実施の形態３と異なる構成のみを、図７および図８を用いて説明する。なお、図７は、本実施の形態のリモコン信号送信機能付き赤外線通信用モジュールの構造を示す正面図、図８は、モジュールを搭載した携帯機器の使用状態を示す説明図である。
【００４８】
本実施の形態では、実施の形態３のリモコン信号送信機能付き赤外線通信用モジュール１に加え、レンズ２３の中心軸に対して左右に対称の位置に、リモコン信号用発光素子１５ｃ，１５ｄを追加している。これにより発せられるリモコン信号送信光の指向角Ｃｃ，Ｃｄを、図７に円で示す。このように４つのリモコン信号用発光素子１５ａ，１５ｂ，１５ｃ，１５ｄを設けた場合には、その指向角Ｃａ，Ｃｂ，Ｃｃ，Ｃｄがレンズ２３の中心軸付近で重なり、中心軸付近ではさらに放射強度が強くなり、レンズ２３の中心軸方向でさらに良好な性能が得られる。さらに、指向角が上下方向に加えて左右方向にも広がる。携帯機器５１にこのモジュール１を搭載することにより、図８に示すように、この携帯機器５１を水平に保持したままでも、天井付近に設けたエアコンや、床上に置かれた、テレビや玩具など、広い範囲に対するリモコン操作が可能となり、利便性が向上する。
【００４９】
（実施の形態５）
実施の形態５について、上記実施の形態３と異なる構成のみを、図９を用いて説明する。なお、図９は本実施の形態におけるリモコン信号送信機能付き赤外線通信用モジュールの構造を示す正面図である。
【００５０】
図９に示すように、本実施の形態では、赤外線通信用発光素子１４の上方にリモコン信号用発光素子１５ａを設け、斜め下方向にもリモコン信号用発光素子１５ｂを設けている。この場合には、下方向と斜め上方向に向かって指向角Ｃａ，Ｃｂが広がる。リモコン操作対象の機器の方向が限定されている場合には、このような配置も有効である。
【００５１】
上記実施の形態３乃至５においては、レンズ２３の中心軸上に赤外線通信用発光素子１４を配置し、その周囲にリモコン信号用発光素子１５を複数配置して、指向角を広げるようにした。これを逆にして、レンズ２３の中心軸上にリモコン信号用発光素子１５を配置し、赤外線通信用発光素子１４をその周囲に配置することも可能であるが、赤外線通信光の方向は、限定されている方がセキュリティー上好ましいので、一般的には適切ではない。ただし、このような状態が要求されるような特殊な用途の場合には有効である。
【００５２】
上記実施の形態１乃至５に示したように、リモコン信号送信光と赤外線通信光の方向は、レンズに対する発光素子の位置を調整することで任意に設定できる。また、レンズの径、レンズと発光素子の距離を調整することでも任意に設定できる。このようにリモコン信号送信光と赤外線通信光とのピーク感度位置のずれを使用目的に合わせて調整することで、それぞれの用途に最適なリモコン信号送信機能付き赤外線通信用モジュールを提供することができる。
【００５３】
以下に、上記のようなリモコン信号送信機能付き赤外線通信用モジュール１を用いた機器に関する実施の形態について説明する。
【００５４】
（実施の形態６）
本実施の形態について、図１０乃至図１２を参照して説明する。なお、図１０は、本実施の形態の携帯電話機の構造を示す（Ａ）は正面図、（Ｂ）は背面図、図１１（Ａ）は、通常の使用状態における携帯電話機を示す一部を切り欠いた側面図、（Ｂ）は、携帯電話機の先端部の縦断面の拡大図であり、図１２は、本実施の形態の携帯電話機の使用状態を示す説明図である。
【００５５】
本実施の形態の携帯電話機５１は、図１０に示すように、折りたたみ式の携帯電話機であり、図１０は開いた状態を示している。図１０および図１１に示すように、操作部を有する第１の本体５３と、液晶表示装置などで構成された表示部５２を有する第２の本体５４からなり、第１の本体５３は第２の本体５４に対して傾斜した状態で保持される。
【００５６】
携帯電話機５１の先端部５５には、上記実施の形態２に示したリモコン信号送信機能付き赤外線通信用モジュール１が内蔵されている。モジュール１は、そのレンズ２３の中心軸が、携帯電話機５１の第２の本体５４の長手方向に向かっており、リモコン信号送信光の中心軸Ｒは、レンズ２３の中心軸と同一方向となる。また、図１１（Ｂ）に示すように、赤外線通信用発光素子１４の取付位置が調節されており、携帯電話機５１を、表示部５２の表示面の傾斜角θ１が４５°に保持した状態で、赤外線通信光の中心軸Ｉは水平方向となる。したがって、リモコン信号送信光の中心軸Ｒの方向と赤外線通信光の中心軸Ｉの方向とが成す角θ２も、４５°となる。
【００５７】
通常、表示部５２を見ながら携帯電話機５１を使用する場合には、その表示部５２の表示面の傾斜角θ１は、１０°以上９０°未満である。したがって、θ２も、１０°以上９０°未満に設定することが好ましい。また、より使用頻度が高い傾斜角θ１は、４５°以上６０°未満であるので、θ２は、４５°以上６０°未満とすることがより好ましい。
【００５８】
このように調整したモジュール１を、携帯機器である携帯電話機５１に取り付けることで、図１２に示すように、携帯電話機５１の表示部５２を確認しながらの赤外線通信の操作が容易となり利便性が向上する。また、携帯電話機５１の先端部５５にモジュール１を内蔵しているので、その送受信を行ないやすい。
【００５９】
本実施の形態では、図４に示すように赤外線通信用受光素子１２を、レンズ２２の中心軸上に配置しているが、レンズ２２の中心軸と角度θ２を成す方向からの赤外線通信光を受光し易くするため、赤外線通信用発光素子１４と同様、レンズ２２の上方にずらして取り付けるようにしても良い。
【００６０】
本実施の形態で用いた、実施の形態２のモジュール１に代えて、実施の形態２の変形例を搭載するようにしても良い。この場合には、表示部５２を確認しながら操作した場合、リモコン信号送信光の中心軸Ｒは水平方向に向かう。このように構成した場合には、水平方向にある機器に対するリモコン操作が容易となる。
【００６１】
（実施の形態７）
本実施の形態について、図１３および図１４を参照して説明する。なお、図１３は、通常の使用状態において携帯電話機の一部を切り欠いた側面図、図１４は、携帯電話機の使用状態を示す説明図である。
【００６２】
本実施の形態の携帯電話機５１は、図１３に示すように、折りたたみ式の携帯電話機であり、図１３は開いた状態を示している。図１３に示すように、第１の本体５３は第２の本体５４に対して、傾斜角θ３傾斜した状態で保持される。
【００６３】
本実施の形態においては、第１の本体５３を水平に保持した状態において、赤外線通信光の中心軸Ｉが水平方向となるように、モジュール１が取り付けられている。したがって第２の本体５４の長手方向と同一方向となるリモコン信号送信光の中心軸Ｒと赤外線通信光の中心軸Ｉとの成す角θ４は、傾斜角θ３と同じ角度となる。このθ３およびθ４は、本実施の形態では、２５°程度であるが、通常の携帯電話機においては、１０°以上３０°未満である。
【００６４】
この場合には、図１４に示すように、操作部を有する第１の本体を水平に保持した状態で、ユーザーは水平方向に赤外線通信光を発することができるので、操作部を操作しながら赤外線通信を行ないやすい。また、第１の本体５３と同一方向に赤外線通信光が進むので、ユーザーは第１の本体５３の長手方向を相手側の機器に向けることで、最も感度の良い通信が可能となる。このように本実施の形態においては、第１の本体５３と赤外線通信光の中心軸Ｉの方向とが一致するので、赤外線通信時において、ユーザーが赤外線通信光の中心軸Ｉの方向を認識しやすいものとなる。
【００６５】
（実施の形態８）
本実施の形態について、上記実施の形態６と異なる構成のみを、図１５乃至１７を用いて説明する。なお、図１５は、本実施の形態の携帯電話機の構造を示す（Ａ）は正面図、（Ｂ）は背面図、図１６は、通常の使用状態において携帯電話機の切り欠いた側面図、図１７は、本実施の形態の携帯電話機の使用状態を示す説明図である。
【００６６】
図１５に示すように、本実施の形態では、携帯電話機５１の本体が縦長長方形のストレートタイプの携帯電話機５１の先端部５５に、実施の形態３で説明したモジュールを搭載している。
【００６７】
本実施の形態では、図１６に示すように、携帯電話機として通常使用される角度である傾斜角θ５に携帯電話機５１を保持した場合に、赤外線通信光の中心軸Ｉが水平に発せられるように調整したモジュール１を搭載している。この場合にも、図１７に示すように、携帯電話機として通常使用する状態で赤外線通信が可能であり、その操作性が向上する。
【００６８】
上記実施の形態６乃至８では、携帯機器が携帯電話機の場合について説明したが、携帯機器はＰＤＡなどの他の機器であっても良い。
【００６９】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【図１】この発明に基づいた実施の形態１におけるリモコン信号送信機能付き赤外線通信用モジュールの構造を示し、（Ａ）は（Ｂ）におけるＡ−Ａ矢視断面を示す縦断面図であり、（Ｂ）は正面図、（Ｃ）は側面図である。
【図２】この発明に基づいた実施の形態１におけるリモコン信号送信機能付き赤外線通信用モジュールの発光素子が発する光の方向を説明する説明図である。
【図３】この発明に基づいた実施の形態１におけるリモコン信号送信機能付き赤外線通信用モジュールの発光素子が発する光の方向を説明する説明図である。
【図４】この発明に基づいた実施の形態２におけるリモコン信号送信機能付き赤外線通信用モジュールの構造を示し、（Ａ）は正面図、（Ｂ）は（Ａ）におけるＢ−Ｂ矢視断面を示す縦断面図である。
【図５】この発明に基づいた実施の形態３におけるリモコン信号送信機能付き赤外線通信用モジュールの構造を示し、（Ａ）は正面図、（Ｂ）は（Ａ）におけるＢ−Ｂ矢視断面を示す縦断面図である。
【図６】一対のリモコン信号用発光素子からレンズを介して照射されたリモコン信号送信光が互いに強め合う状態を示すグラフである。
【図７】この発明に基づいた実施の形態４におけるリモコン信号送信機能付き赤外線通信用モジュールの構造を示す正面図である。
【図８】この発明に基づいた実施の形態４におけるモジュールを搭載した携帯機器の使用状態を示す説明図である。
【図９】この発明に基づいた実施の形態５におけるリモコン信号送信機能付き赤外線通信用モジュールの構造を示す正面図である。
【図１０】この発明に基づいた実施の形態６における携帯電話機の構造を示す（Ａ）は正面図、（Ｂ）は背面図である。
【図１１】この発明に基づいた実施の形態６における携帯電話機の構造を示し、（Ａ）は通常の使用状態において一部を切り欠いた側面図、（Ｂ）は携帯電話機の先端部の縦断面の拡大図である。
【図１２】この発明に基づいた実施の形態６における携帯電話機の使用状態を示す説明図である。
【図１３】この発明に基づいた実施の形態７における携帯電話機の構造を示し、通常の使用状態において一部を切り欠いた側面図である。
【図１４】この発明に基づいた実施の形態７における携帯電話機の使用状態を示す説明図である。
【図１５】この発明に基づいた実施の形態８における携帯電話機の構造を示す（Ａ）は正面図、（Ｂ）は背面図である。
【図１６】この発明に基づいた実施の形態８における携帯電話機の構造を示し、通常の使用状態において一部を切り欠いた側面図である。
【図１７】この発明に基づいた実施の形態８における携帯電話機の使用状態を示す説明図である。
【図１８】従来の携帯電話機による赤外線通信の状態を示す説明図である。
【図１９】従来の携帯電話機による赤外線通信の状態を示す説明図である。
【符号の説明】
１  モジュール、１２  赤外線通信用受光素子、１４  赤外線通信用発光素子、１５  リモコン信号用発光素子、２１  封止樹脂、２２，２３  レンズ、５１携帯機器（携帯電話機）、５２  表示部、５３  第１の本体、５４  第２の本体、Ｉ  赤外線通信光の中心軸、Ｒ  リモコン信号送信光の中心軸。
【図１】
2004187095.tif 000003
【図２】
2004187095.tif 000004
【図３】
2004187095.tif 000005
【図４】
2004187095.tif 000006
【図５】
2004187095.tif 000007
【図６】
2004187095.tif 000008
【図７】
2004187095.tif 000009
【図８】
2004187095.tif 000010
【図９】
2004187095.tif 000011
【図１０】
2004187095.tif 000012
【図１１】
2004187095.tif 000013
【図１２】
2004187095.tif 000014
【図１３】
2004187095.tif 000015
【図１４】
2004187095.tif 000016
【図１５】
2004187095.tif 000017
【図１６】
2004187095.tif 000018
【図１７】
2004187095.tif 000019
【図１８】
2004187095.tif 000020
【図１９】
2004187095.tif 000021